【事件の表示】
　特許第６４２１８９１号発明「歯列装具」の特許異議申立事件について，次のとおり決定する。
【結　論】
　特許第６４２１８９１号の特許請求の範囲を訂正請求書に添付された訂正特許請求の範囲のとおり訂正後の請求項〔１〜３〕について訂正することを認める。
　特許第６４２１８９１号の請求項１〜３に係る特許を維持する。
【理　由】
１　手続の経緯
　特許第６４２１８９１号（以下，「本件特許」という。）の請求項１〜３に係る特許についての出願は，平成３０年６月４日に出願され，平成３０年１０月２６日にその特許権の設定登録がされ，平成３０年１１月１４日に特許掲載公報が発行された。
　その後，その特許について，令和１年５月１０日に特許異議申立人▲高▼山嘉成により特許異議の申立てがされ，当審は，令和１年７月１７日付けで取消理由を通知した。特許権者はその指定期間である令和１年９月４日に意見書の提出及び訂正の請求を行った。その訂正の請求に対して，当審は，期間を指定して意見書を提出する機会を与えたが，特許異議申立人からの応答はなかった。
２　訂正の適否についての判断
（１）訂正の内容（下線は訂正箇所を示す。）
　本件訂正請求による訂正は，特許請求の範囲の請求項１を，以下の事項により特定されるとおりに訂正するものである。
「　装着する人体の歯列の唇側部分の一部又は全部を覆う唇側部と舌側部分の一部又は全部を覆う舌側部とを有し，平面視で略Ｕ字形状に形成された装具本体と，
　前記唇側部と前記舌側部とを接続するワイヤーとを備え，
　前記装具本体における咬合面に対応する部位が切除されており，該切除により前記唇側部と前記舌側部との間にギャップが形成され，
　
前記ワイヤーは，前歯をサポートする位置に設けられる第一ワイヤー部材と，一方の奥歯をサポートする位置に設けられる一方の第二ワイヤー部材と，他方の奥歯をサポートする位置に設けられる他方の第二ワイヤー部材とを含んで構成され，
　前記ワイヤーは，
前記第一ワイヤー部材，前記一方の第二ワイヤー部材，前記他方の第二ワイヤー部材のそれぞれにおいて，
　前記装具本体の前記舌側部を通る舌側部分と，
　前記舌側部と前記唇側部の間を接続する接続部分と，
　前記唇側部を通る唇側部分とを有し，
　
前記第一ワイヤー部材における前記舌側部分は，前記舌側部の中切歯，側切歯及び犬歯に対応する部位を通るよう配置させる第一舌側部分を含み，
　前記
第一
部材
第一
部材
を含み
　
前記第一ワイヤー部材における前記唇側部分は，前記唇側部の第一小臼歯に対応する部位を通るよう配置させる第一唇側部分を含み，
　
前記一方の第二ワイヤー部材における前記舌側部分は，前記舌側部の一方の第一小臼歯，一方の第二小臼歯及び一方の第一大臼歯に対応する部位を通るよう配置させる一方の第二舌側部分を含み，
　
前記一方の第二ワイヤー部材における前記接続部分は，一方の
一方の
一方の第二
部材
一方の
分を
み
　
前記一方の第二ワイヤー部材における前記唇側部分は，前記唇側部の一方の第一大臼歯に対応する部位を通るよう配置させる一方の第二唇側部分を含み，
　
前記他方の第二ワイヤー部材における前記舌側部分は，前記舌側部の他方の第一小臼歯，他方の第二小臼歯及び他方の第一大臼歯に対応する部位を通るよう配置させる他方の第二舌側部分を含み，
　
前記他方の第二ワイヤー部材における前記接続部分は，他方の第一大臼歯と他方の第二大臼歯との間を通り前記他方の第二ワイヤー部材を前記装具本体の前記唇側部と前記舌側部との間に配置させる他方の第二接続部分を含み，
　
前記他方の第二ワイヤー部材における前記唇側部分は，前記唇側部の他方の第一大臼歯に対応する部位を通るよう配置させる他方の第二唇側部分を含む，
　本件特許の特許請求の範囲の請求項２及び３は，請求項１を引用するものであるところ，本件訂正請求による訂正は，特許法第１２０条の５第４項に規定する一群の請求項〔１〜３〕に対して請求されたものである。
（２）訂正の目的の適否，新規事項の有無及び特許請求の範囲の拡張・変更の存否
　本件訂正請求による訂正は，「ワイヤー」を，「第一ワイヤー部材」，「一方の第二ワイヤー部材」及び「他方の第二ワイヤー部材」を含むものに限定し，さらに「第一ワイヤー部材」，「一方の第二ワイヤー部材」，及び「他方の第二ワイヤー部材」のそれぞれについて，その配置を特定するものであるから，特許法第１２０条の５第２項ただし書第１号に掲げる特許請求の範囲の減縮を目的とするものである。
　また，「ワイヤー」が「第一ワイヤー部材」及び「第二ワイヤー部材」を含む点は，明細書の段落【００３８】，【図１】等に記載されており，「第二ワイヤー部材」として「一方の第二ワイヤー部材」及び「他方の第二ワイヤー部材」があることは，段落【００３９】の第二ワイヤー部材が３２Ａと３２Ｂと３２Ｃとを有する旨の記載，【図１Ａ】と【図１Ｂ】とで異なる側に３２Ａ，３２Ｂ及び３２Ｃが示されていること，及び【図２Ｂ】の一方の奥歯と他方の奥歯とに分かれて３２Ａ，３２Ｂ及び３２Ｃが示されていることから明らかである。
　また，「第一ワイヤー部材」，「一方の第二ワイヤー部材」及び「他方の第二ワイヤー部材」のそれぞれの配置については，段落【００４２】，【００４３】，【図２Ａ】〜【図２Ｃ】等に記載されている。
　そして，本件訂正請求による訂正は，上述のとおり特許請求の範囲の減縮を目的とするものであって，新規事項の追加に該当せず，また，実質上特許請求の範囲を拡張し，又は変更するものではないと認められる。
（３）小括
　以上のとおり，本件訂正請求による訂正は，特許法第１２０条の５第２項ただし書第１号に掲げる事項を目的とするものであり，かつ，同条第４項及び第９項において準用する同法第１２６条第５項並びに第６項の規定に適合するので，訂正後の請求項〔１〜３〕について訂正することを認める。
３　訂正後の本件発明
　上記２のとおり本件訂正請求による訂正が認められるから，本件特許の請求項１に係る発明（以下「本件発明１」という。）は，訂正請求書に添付した訂正特許請求の範囲の請求項１に記載された事項により特定される上記２（１）に記載したとおりのものである。
　また，本件特許の請求項２及び３に係る発明（以下「本件発明２」及び「本件発明３」という。）は，同じく訂正特許請求の範囲の請求項２及び３に記載された事項により特定される次のとおりのものである。
　本件発明２「前記装具本体が弾性を有する実質的に透明又は半透明の材料によって構成される，請求項１に記載の歯列装具。」
　本件発明３「前記ワイヤーがブラケット用のワイヤーである，請求項１又は２に記載の歯列装具。」
４　取消理由通知に記載した取消理由について
（１）取消理由の概要
　本件請求項１〜３に係る特許に対して，当審が令和１年７月１７日付けで特許権者に通知した取消理由の要旨は，次のとおりである。
ア　請求項１及び２に係る発明は，甲第１号証に記載された発明であって，特許法第２９条第１項第３号に該当する。よって，請求項１及び２に係る特許は，特許法第２９条第１項の規定に違反してされたものであり，取り消されるべきものである。
イ　請求項１及び２に係る発明は甲第１号証に記載された発明に基いて，請求項３に係る発明は甲第１号証及び甲第４号証に記載された発明に基いて，それぞれ当業者が容易に発明をすることができたものである。よって，請求項１〜３に係る特許は，特許法第２９条第２項の規定に違反してされたものであり，取り消されるべきものである。
（２）甲号証の記載
甲第１号証：鈴木善雄ほか，ＳＯＬリテーナーの製作法　審美と把持力を兼ね備えた新しい可撤式保定装置の考案
甲第２号証：鈴木善雄，辻田秀俊，高山嘉成，証明願，平成３１年４月２６日
甲第３号証：第７６回日本矯正歯科学会学術大会プラグラム・抄録集，表紙，目次，２４８ページ「審美と把持力を兼ね備えた新しい可撤式保定装置の考案」，平成２９年１０月１８日，日本矯正歯科学会
甲第４号証：谷村里枝ほか，舌側矯正治療におけるインダイレクトボンディング法のブラケットトルクの設定，第７５回日本矯正歯科学会大会プログラム・抄録集，２４０ページ，平成２８年１１月７日，公益社団法人日本矯正歯科学会
　甲第２号証に記載された鈴木善雄氏の証明の１．，甲第２号証に記載された辻田秀俊氏の証明，及び甲第３号証に記載された「第７６回日本矯正歯科学会学術大会」の開催会場，会期並びに２４８ページの「審美と把持力を兼ね備えた新しい可撤式保定装置の考案」の記載によれば，甲第１号証は，２０１７年１０月１８日〜２０日にさっぽろ芸文館等で開催された第７６回日本矯正歯科学会学術大会の学術展示２１０ブースにおいて頒布された印刷物であって，遅くとも２０１７年１０月２０日には日本国内において頒布された刊行物であると認められる。
ア　甲第１号証の記載
（ア）甲第１号証には，次の記載がある。
ａ「可撤式保定装置には，ホーレータイプ・ベッグタイプのようなレジン床を用いる装置と，クリアリテーナーのようなプラスチックシートを用いる装置がある。
　ホーレータイプ，ベッグタイプは，歯牙同士が直接咬合するという利点を持つが唇側線が目立つため審美的でなく，歯牙の把持力は弱い。
ホーレータイプは唇側線によって小臼歯部にスペースができることがあり，ベッグタイプは下顎の大臼歯の遠心部にワイヤーの入るスペースがないと装置の製作は困難である。
　一方，クリアリテーナーは審美的で歯牙の把持力はあるが，プラスチックシートが咬合面を覆うため矯正終了時の咬頭嵌合が失われ顎位が変化する可能性がある。また使用中に咬合面が破損して再製作が必要になることがある。
　今回，私達は，これらの保定装置の利点を併せ持った新しい可撤式保定装置ＳＯＬ（Simple Occlusal Less）Retainerを考案したので報告する。」（【目的】）
ｂ「４．
熱可塑性プラスチックシート（1.5mm）
　　　・キャプチャーシート　ハード/PET　ポリエチレンテレフタレート（松風）
　　　・デュラン＋/PET-G　　　　　　　　　　　（SCHEO-DENTAL・RM）
　５．矯正線（ホッチキスクラスプ，補強線）
　　　・
.016インチレッドエルジロイワイヤー（RM）
　　　・0.9mm線　SSデンタルワイヤー　　　（斎藤歯研・Ciメディカル）」（【資料および方法】）
ｃ「１）上下顎模型を咬合させて，装置の外形線と歯間部を通過する保持用ホッチキスクラスプを付ける場所を左右４ヶ所，犬歯，第一小臼歯間と第一，第二大臼歯間に設定する。」（製作手順）
ｄ「５）ヒートカッターでプラスチックシートの咬合面を削除する。」（製作手順）
ｅ「７）ホッチキスクラスプと補強線0.9mm線を屈曲してレジンで固定する。
＊.016インチレッドエルジロイワイヤーをホッチキス状の形に曲げておくと簡単に歯間部に合わせることが出来る。
＊ホッチキスクラスプはプラスチックシートの保持が目的であり，即時重合レジンで固定するため，
クラスプの端は，特別なベンドや完璧な適合は必要ない。
＊補強線0.9mm線はプラスチックシートのたわみを防ぐため，口蓋・舌側に即時重合レジンで固定する。そのためホッチキスクラスプ同様完璧な適合は必要ない。」（製作手順）
ｆ「８）ヒートカッターで外形を切り取り研磨・完成する。」（製作手順）
ｇ「装置の製作は容易で，保持ワイヤーに.016インチを用いるため咬頭嵌合が緊密な症例でも製作できる。プラスチックシートが咬合面を覆わないため咬頭嵌合が保持され，使用時の違和感や破損がなくなった。」（【結果および考察】）
（イ）また，甲第１号証には，次の技術的事項が記載されていると認められる。
ａ　上記（ア）ｃ，ｄ，ｅの記載及び製作手順の１）の画像及び８）の右下の画像から，プラスチックシートの咬合面が削除された結果，プラスチックシートが歯列の唇側部分を覆う唇側プラスチックシートと歯列の舌側部分を覆う舌側プラスチックシートとに分離し，これら分離した唇側プラスチックシートと舌側プラスチックシートとが４つのホッチキスクラスプにより接続されている。４つのホッチキスクラスプは，犬歯，第一小臼歯間に位置するもの（２つ）と，一方の第一，第二大臼歯間に位置するもの，他方の第一，第二大臼歯間に位置するものである。
　また，製作手順の８）の右下の画像から，完成したプラスチックシートは平面視で略Ｕ字形状と認められる。
ｂ　上記（ア）ｅの記載，製作手順の７）の左側「クラスプを１ヶ所ずつ仮着する」との画像中のワイヤ配置の記載，製作手順の７）の右側「小臼歯用と大臼歯用ホッチキスクラスプ」との画像中のワイヤ形状の記載及び製作手順の８）の右下の画像中のワイヤの記載から見て，ホッチキスクラスプは，その中間部が唇側プラスチックシートと舌側プラスチックシートとの間に位置し，両側部がそれぞれ，唇側プラスチックシート又は舌側プラスチックシートと即時重合レジンで固定されている。
　また，犬歯，第一小臼歯間に位置するホッチキスクラスプの唇側の側部は，第一小臼歯に対応する部位に固定され，第一，第二大臼歯間に位置するホッチキスクラスプの唇側の側部は，第一大臼歯に対応する部位に固定される。
イ　上記ア（ア），（イ）より，甲第１号証には次の発明（以下，「甲１発明」という。）が記載されていると認められる。
「歯列の唇側部分を覆う唇側プラスチックシートと歯列の舌側部分を覆う舌側プラスチックシートとを有し，平面視で略Ｕ字形状に形成されたプラスチックシートと，
　前記唇側プラスチックシートと前記舌側プラスチックシートとを接続するホッチキスクラスプとを備え，
　前記プラスチックシートにおける咬合面が削除されており，該削除により前記唇側プラスチックシートと前記舌側プラスチックシートとが分離しており，
　前記ホッチキスクラスプは，犬歯，第一小臼歯間に位置するホッチキスクラスプと，一方の第一，第二大臼歯間に位置するホッチキスクラスプと，他方の第一，第二大臼歯間に位置するホッチキスクラスプとを含んで構成され，
　前記ホッチキスクラスプは，犬歯，第一小臼歯間に位置するホッチキスクラスプ，一方の第一，第二大臼歯間に位置するホッチキスクラスプ，他方の第一，第二大臼歯間に位置するホッチキスクラスプのそれぞれにおいて，
　前記プラスチックシートの前記舌側プラスチックシートに即時重合レジンで固定されている一方の側部と，
　前記舌側プラスチックシートと前記唇側プラスチックシートとを接続する中間部と，
　前記唇側プラスチックシートに即時重合レジンで固定されている他方の側部とを有し，
　前記犬歯，第一小臼歯間に位置するホッチキスクラスプにおける前記中間部は，犬歯と第一小臼歯との間を通り前記ホッチキスクラスプを前記プラスチックシートの前記舌側プラスチックシートと前記唇側プラスチックシートとの間に位置させる部分を含み，
　前記犬歯，第一小臼歯間に位置するホッチキスクラスプにおける前記他方の側部は，前記唇側プラスチックシートの第一小臼歯に対応する部分に固定される部分を含み，
　前記一方の第一，第二大臼歯間に位置するホッチキスクラスプにおける前記中間部は，一方の第一大臼歯と一方の第二大臼歯との間を通り前記ホッチキスクラスプを前記プラスチックシートの前記唇側プラスチックシートと前記舌側プラスチックシートとの間に位置させる部分を含み，
　前記一方の第一，第二大臼歯間に位置するホッチキスクラスプにおける前記他方の側部は，前記唇側プラスチックシートの一方の第一大臼歯に対応する部分に固定される部分を含み，
　前記他方の第一，第二大臼歯間に位置するホッチキスクラスプにおける前記中間部は，他方の第一大臼歯と他方の第二大臼歯との間を通り前記ホッチキスクラスプを前記プラスチックシートの前記唇側プラスチックシートと前記舌側プラスチックシートとの間に位置させる部分を含み，
　前記他方の第一，第二大臼歯間に位置するホッチキスクラスプにおける前記他方の側部は，前記唇側プラスチックシートの他方の第一第臼歯に対応する部分に固定される部分を含む，可撤式保定装置ＳＯＬリテーナー」
（３）対比
ア　本件発明１と，甲１発明とを対比する。
（ア）甲１発明の「プラスチックシート」は，その構成からみて本件発明１の「装具本体」に相当する。
（イ）甲１発明の「歯列の唇側部分を覆う唇側プラスチックシート」は，本件発明１の「装着する人体の歯列の唇側部分の一部又は全部を覆う唇側部」に相当する。
（ウ）甲１発明の「歯列の舌側部分を覆う舌側プラスチックシート」は，本件発明１の「舌側部分の一部又は全部を覆う舌側部」に相当する。
（エ）甲１発明の「ホッチキスクラスプ」は，上記ア（ア）ｂによればワイヤーからなるものであり，またその構成からみて本件発明１の「ワイヤー」に相当する。
（オ）甲１発明のプラスチックシートにおける咬合面の「削除」は，本件発明１の「切除」に相当する。また，該削除により「前記唇側プラスチックシートと前記舌側プラスチックシートとが分離しており」は，本件発明１の「前記唇側部と前記舌側部との間にギャップが形成され」に相当する。
（カ）甲１発明の「犬歯，第一小臼歯間に位置するホッチキスクラスプ」は，犬歯，第一小臼歯間に位置し，その一部が唇側部の第一小臼歯に対応する部位を通るよう配置させる限りにおいて，本件発明１の「第一ワイヤー部材」に相当する。
（キ）甲１発明の「一方の第一，第二大臼歯間に位置するホッチキスクラスプ」は，一方の第一，第二大臼歯間に位置し，その一部が唇側部の一方の第一大臼歯に対応する部位を通るよう配置させる限りにおいて，本件発明１の「一方の第二ワイヤー部材」に相当する。
（ク）甲１発明の「他方の第一，第二大臼歯間に位置するホッチキスクラスプ」は，他方の第一，第二大臼歯間に位置し，その一部が唇側部の一方の第一大臼歯に対応する部位を通るよう配置させる限りにおいて，本件発明１の「他方の第二ワイヤー部材」に相当する。
（ケ）甲１発明の各ホッチキスクラスプの「前記プラスチックシートの前記舌側プラスチックシートに即時重合レジンで固定されている一方の側部」は，舌側部に即時重合レジンで固定されている態様は舌側部を「通る」ものであるから，本件発明１の「前記装具本体の前記舌側部を通る舌側部分」に相当する。
（コ）甲１発明の各ホッチキスクラスプの「前記舌側プラスチックシートと前記唇側プラスチックシートとを接続する中間部」は，本件発明１の「前記舌側部と前記唇側部の間を接続する接続部分」に相当する。
（サ）甲１発明の各ホッチキスクラスプの「前記唇側プラスチックシートに即時重合レジンで固定されている他方の側部」は，唇側部に即時重合レジンで固定されている態様は唇側部を「通る」ものであるから，本件発明１の「前記唇側部を通る唇側部分」に相当する。
（シ）甲１発明の「犬歯と第一小臼歯との間を通り前記ホッチキスクラスプを前記プラスチックシートの前記舌側プラスチックシートと前記唇側プラスチックシートとの間に位置させる部分」は，本件発明１の「犬歯と第一小臼歯との間を通り前記ワイヤーを前記装具本体の前記舌側部と前記唇側部との間に配置させる第一接続部分」に相当する。
（ス）甲１発明の「前記唇側プラスチックシートの第一小臼歯に対応する部分に固定される部分」は，本件発明１の「前記唇側部の第一小臼歯に対応する部位を通るよう配置させる第一唇側部分」に相当する。
（セ）甲１発明の「一方の第一大臼歯と一方の第二大臼歯との間を通り前記ホッチキスクラスプを前記プラスチックシートの前記唇側プラスチックシートと前記舌側プラスチックシートとの間に位置させる部分」は，本件発明１の「一方の第一大臼歯と一方の第二大臼歯との間を通り前記一方の第二ワイヤー部材を前記装具本体の前記唇側部と前記舌側部との間に配置させる一方の第二接続部分」に相当する。
（ソ）甲１発明の「前記唇側プラスチックシートの一方の第一第臼歯に対応する部分に固定される部分」は，本件発明１の「前記唇側部の一方の第一大臼歯に対応する部位を通るよう配置させる一方の第二唇側部分」に相当する。
（タ）甲１発明の「他方の第一大臼歯と他方の第二大臼歯との間を通り前記ホッチキスクラスプを前記プラスチックシートの前記唇側プラスチックシートと前記舌側プラスチックシートとの間に位置させる部分」は，本件発明１の「他方の第一大臼歯と他方の第二大臼歯との間を通り前記他方の第二ワイヤー部材を前記装具本体の前記唇側部と前記舌側部との間に配置させる他方の第二接続部分」に相当する。
（チ）甲１発明の「前記唇側プラスチックシートの他方の第一第臼歯に対応する部分に固定される部分」は，本件発明１の「前記唇側部の他方の第一大臼歯に対応する部位を通るよう配置させる他方の第二唇側部分」に相当する。
（ツ）甲１発明の「可撤式保定装置ＳＯＬリテーナー」は，歯列に装着するものであるから，本件発明１の「歯列装具」に相当する。
イ　以上より，本件発明１と，甲１発明との一致点，相違点は次のとおりである。
【一致点】
「装着する人体の歯列の唇側部分の一部又は全部を覆う唇側部と舌側部分の一部又は全部を覆う舌側部とを有し，平面視で略Ｕ字形状に形成された装具本体と，
　前記唇側部と前記舌側部とを接続するワイヤーとを備え，
　前記装具本体における咬合面に対応する部位が切除されており，該切除により前記唇側部と前記舌側部との間にギャップが形成され，
　前記ワイヤーは，第一ワイヤー部材と，一方の第二ワイヤー部材と，他方の第二ワイヤー部材とを含んで構成され，
　前記ワイヤーは，前記第一ワイヤー部材と，前記一方の第二ワイヤー部材，前記他方の第二ワイヤー部材のそれぞれにおいて，
　前記装具本体の前記舌側部を通る舌側部分と，
　前記舌側部と前記唇側部の間を接続する接続部分と，
　前記唇側部を通る唇側部分とを有し，
　前記第一ワイヤー部材における前記接続部分は，犬歯と第一小臼歯との間を通り前記第一ワイヤー部材を前記装具本体の前記舌側部と前記唇側部との間に配置させる第一接続部分を含み，
　前記第一ワイヤー部材における前記唇側部分は，前記唇側部の第一小臼歯に対応する部位を通るよう配置させる第一唇側部分を含み，
　前記一方の第二ワイヤー部材における前記接続部分は，一方の第一大臼歯と一方の第二大臼歯との間を通り前記一方の第二ワイヤー部材を前記装具本体の前記唇側部と前記舌側部との間に配置させる一方の第二接続部分を含み，
　前記一方の第二ワイヤー部材における前記唇側部分は，前記唇側部の一方の第一大臼歯に対応する部位を通るよう配置させる一方の第二唇側部分を含み，
　前記他方の第二ワイヤー部材における前記接続部分は，他方の第一大臼歯と他方の第二大臼歯との間を通り前記他方の第二ワイヤー部材を前記装具本体の前記唇側部と前記舌側部との間に配置させる他方の第二接続部分を含み，
　前記他方の第二ワイヤー部材における前記唇側部分は，前記唇側部の他方の第一大臼歯に対応する部位を通るよう配置させる他方の第二唇側部分を含む，歯列装具。」
【相違点１】
　本件発明１は，第一ワイヤー部材が「前歯をサポートする位置」に設けられ，第一ワイヤー部材における舌側部分が，「前記舌側部の中切歯，側切歯及び犬歯に対応する部位を通るよう配置させる第一舌側部分を含」むのに対し，甲１発明は，そのような構成を有しない点。
【相違点２】
　本件発明１は，一方の第二ワイヤー部材が一方の「奥歯をサポートする位置」に，他方の第二ワイヤー部材が他方の「奥歯をサポートする位置」に設けられ，一方の第二ワイヤー部材における前記舌側部分が「前記舌側部の一方の第一小臼歯，一方の第二小臼歯及び一方の第一大臼歯に対応する部分を通るよう配置させる一方の第二舌側部分を含み」，他方の第二ワイヤー部材における前記舌側部分が「前記舌側部の他方の第一小臼歯，他方の第二小臼歯及び他方の第一大臼歯に対応する部分を通るよう配置させる他方の第二舌側部分を含」むのに対し，甲１発明は，そのような構成を有しない点。
（４）当審の判断
（４−１）理由ア　新規性（特許法第２９条第１項第３号）について 
ア　本件発明１について
　上述のとおり，本件発明１と甲１発明とは，相違点１及び２で相違し，当該相違点１及び２は，実質的な相違点というべきものであるから，本件発明１は甲１発明ではない。
イ　本件発明２について 
 　本件発明２は，本件発明１の範囲を更に減縮したものであるから，上記「ア　本件発明１について」の理由と同様の理由により，甲１発明ではない。 
ウ　まとめ 
　以上のとおりであるから，本件発明１及び２は，甲１発明でない。
（４−２）理由イ　進歩性（特許法第２９条第２項）について 
ア　本件発明１について
　上記相違点１及び２は，甲第１号証に記載されておらず，本件出願前に周知でもない。また，単なる設計的事項と言うべきものでもない。
　そして，これら相違点１及び２により，本件発明１は，「中切歯ＴＲ１，ＴＬ１、側切歯ＴＲ２，ＴＬ２及び犬歯ＴＲ３，ＴＬ３に対応する部位においては、ワイヤー３は、唇側部２１を通らず舌側部２２を通ることにより、装着者の心理的負担を軽減する効果、及び、ワイヤー３による補強の効果を同時に得ることができる。」（【００４４】）という甲１発明にはない効果を奏するものである。
　よって，本件発明１は，甲１発明に基いて当業者が容易に発明をすることができたものでない。
イ　本件発明２について 
　本件発明２は，本件発明１の範囲を更に減縮したものであるから，上記「ア　本件発明１について」の理由と同様の理由により，甲１発明に基いて当業者が容易に発明をすることができたものでない。
ウ　本件発明３について
　本件発明３は，本件発明１の範囲を更に減縮したものであり，また，甲第４号証にも上記相違点１及び２は記載されていないから，本件発明３は，上記「ア　本件発明１について」の理由と同様の理由により，甲１発明及び甲第４号証に記載された発明に基いて当業者が容易に発明をすることができたものでない。
エ　まとめ 
　以上のとおりであるから，本件発明１〜３は，甲１発明及び甲第４号証に記載された発明に基いて当業者が容易に発明をすることができたものでない。 
５　取消理由通知において採用しなかった特許異議申立理由について
　特許異議申立人▲高▼山嘉成は，特許異議申立書において，請求項１に係る発明は，本件特許出願前に日本国内において公然と知られた甲１発明である，請求項２に係る発明は，特許出願前に日本国内において公然と知られた甲１発明である，請求項１に係る発明は，特許出願前に日本国内において公然と実施された甲１発明である，請求項２に係る発明は，特許出願前に日本国内において公然と実施された甲１発明である，と主張している。
　しかしながら，上述のとおり，甲第１号証には相違点１及び相違点２に係る事項が記載されていないから，甲１発明が，日本国内において公然と知られた発明，あるいは日本国内において公然と実施された発明であったとしても，本件発明１及び２は，特許法第２９条第１項第１号あるいは第２号に該当せず，本件発明１及び２に係る特許は特許法第２９条第１項の規定に違反してされたものでない。
　また，特許異議申立人▲高▼山嘉成は，特許異議申立書において，請求項３に係る発明は，日本国内において公然と知られた甲１発明，日本国内において公然と実施された甲１発明，又は甲第１号証に記載された甲１発明，甲第４号証に記載の事項，及び甲第５号証に記載の事項に基づいて，その出願前に当業者が容易に発明をすることができた発明である，と主張する。
甲第５号証：特表２００４−５１５２６１号公報
　しかしながら，甲第５号証にも，相違点１及び相違点２に係る事項は記載されていないから，本件発明３は，甲１発明，甲第４号証及び甲第５号証に記載された発明に基いて当業者が容易に発明をすることができたものではなく，本件発明３に係る特許は特許法第２９条第２項の規定に違反してされたものでない。
　また，特許異議申立人▲高▼山嘉成は，特許異議申立書において，予備的主張として，ワイヤー形状を限定する訂正がなされたとしても，本件明細書に記載のワイヤー形状は出願時の技術常識より容易に想到するものである旨主張し，出願時の技術水準を示すものとして甲第１１号証を挙げている。
甲第１１号証：歯科技工士のための実践矯正装置製作法，平成１９年４月１　　　　　　　０日発行，尾▲崎▼順男他３名，クインテッセンス出版株式　　　　　　　会社
　しかしながら，甲第１１号証にも，相違点１及び相違点２に係る事項は記載されていないから，本件発明１〜３は，甲１発明及び出願時の技術常識に基いて当業者が容易に発明をすることができたものではなく，本件発明１〜３に係る特許は特許法第２９条第２項の規定に違反してされたものでない。
　したがって，特許異議申立人▲高▼山嘉成のかかる主張は当を得たものではなく，採用することができない。
６　むすび
　以上のとおりであるから，取消理由通知に記載した取消理由及び特許異議申立書に記載した特許異議申立理由によっては，本件請求項１〜３に係る特許を取り消すことはできない。
　また，他に本件請求項１〜３に係る特許を取り消すべき理由を発見しない。
　よって，結論のとおり決定する。
【異議決定日】
令和１年１２月１７日（２０１９．１２．１７）
【訂正の要旨】
審決（決定）の【理由】欄参照。
（５７）【特許請求の範囲】
　【請求項１】
　装着する人体の歯列の唇側部分の一部又は全部を覆う唇側部と舌側部分の一部又は全部を覆う舌側部とを有し、平面視で略Ｕ字形状に形成された装具本体と、
　前記唇側部と前記舌側部とを接続するワイヤーとを備え、
　前記装具本体における咬合面に対応する部位が切除されており、該切除により前記唇側部と前記舌側部との間にギャップが形成され、
　
前記ワイヤーは、前歯をサポートする位置に設けられる第一ワイヤー部材と、一方の奥歯をサポートする位置に設けられる一方の第二ワイヤー部材と、他方の奥歯をサポートする位置に設けられる他方の第二ワイヤー部材とを含んで構成され、
　前記ワイヤーは、
前記第一ワイヤー部材、前記一方の第二ワイヤー部材、前記他方の第二ワイヤー部材のそれぞれにおいて、
　前記装具本体の前記舌側部を通る舌側部分と、
　前記舌側部と前記唇側部の間を接続する接続部分と、
　前記唇側部を通る唇側部分とを有し、
　
前記第一ワイヤー部材における前記舌側部分は、前記舌側部の中切歯、側切歯及び犬歯に対応する部位を通るよう配置させる第一舌側部分を含み、
　前記
第一
部材
第一
部材
を含み、
　
前記第一ワイヤー部材における前記唇側部分は、前記唇側部の第一小臼歯に対応する部位を通るよう配置させる第一唇側部分を含み、
　
前記一方の第二ワイヤー部材における前記舌側部分は、前記舌側部の一方の第一小臼歯、一方の第二小臼歯及び一方の第一大臼歯に対応する部位を通るよう配置させる一方の第二舌側部分を含み、
　
前記一方の第二ワイヤー部材における前記接続部分は、一方の
一方の
一方の第二
部材
一方の
分を
み、
　
前記一方の第二ワイヤー部材における前記唇側部分は、前記唇側部の一方の第一大臼歯に対応する部位を通るよう配置させる一方の第二唇側部分を含み、
　
前記他方の第二ワイヤー部材における前記舌側部分は、前記舌側部の他方の第一小臼歯、他方の第二小臼歯及び他方の第一大臼歯に対応する部位を通るよう配置させる他方の第二舌側部分を含み、
　
前記他方の第二ワイヤー部材における前記接続部分は、他方の第一大臼歯と他方の第二大臼歯との間を通り前記他方の第二ワイヤー部材を前記装具本体の前記唇側部と前記舌側部との間に配置させる他方の第二接続部分を含み、
　
前記他方の第二ワイヤー部材における前記唇側部分は、前記唇側部の他方の第一大臼歯に対応する部位を通るよう配置させる他方の第二唇側部分を含む、
　【請求項２】
　前記装具本体が弾性を有する実質的に透明又は半透明の材料によって構成される、請求項１に記載の歯列装具。
　【請求項３】
　前記ワイヤーがブラケット用のワイヤーである、請求項１又は２に記載の歯列装具。